(57)【要約】【課題】複数の圧力調整弁の耐異物性を確保する高圧ポンプを提供する。【解決手段】ハウジング本体１１は、プランジャ３１の往復移動によって燃料を加圧する加圧室１４、高圧燃料を吐出する吐出通路１９、この吐出通路１９と加圧室１４とを連通するリターン通路２０を有する。リリーフ弁８０は、異常高圧によりリターン通路２０を開閉する。リリーフ弁ニードル８２の内側通路８２１に設けられる定残圧弁９０は、定残圧により内側通路８２１を開閉する。リリーフ弁よりも吐出口７４側のリターン通路２０および吐出通路１９にはフィルタ４０が設けられ、リリーフ弁８０および定残圧弁９０に流入する燃料中の異物を捕獲する。【選択図】図１
2010156255.tif 000002
【特許請求の範囲】
【請求項１】
往復移動可能なプランジャと、
前記プランジャによって燃料を加圧する加圧室、該加圧室で加圧された高圧燃料を吐出口から吐出する吐出通路、および、該吐出通路と前記加圧室とを連通するリターン通路を有するハウジング本体と、
前記吐出通路の燃料圧力が第１圧力以上のとき前記吐出通路から前記リターン通路を経由して前記加圧室への燃料の流れを許容し、前記吐出通路の燃料圧力が第１圧未満のとき前記吐出通路から前記リターン通路を経由して前記加圧室への燃料の流れを遮断するリリーフ弁と、
前記リリーフ弁よりも前記吐出通路側の前記リターン通路と前記リリーフ弁よりも前記加圧室側の前記リターン通路とを連通するように前記リリーフ弁の弁本体内に形成された内側通路に設けられ、前記吐出通路の燃料圧力が前記第１圧力より小さい第２圧力以上のとき前記吐出通路から前記内側通路を経由して前記加圧室への燃料の流れを許容し、前記吐出通路の燃料圧力が第２圧力未満のとき前記吐出通路から前記内側通路を経由して前記加圧室への燃料の流れを遮断する定残圧弁と、
前記リリーフ弁よりも前記吐出通路側の前記リターン通路および前記吐出通路の少なくともいずれか一方に設けられ、前記リリーフ弁および前記定残圧弁に流入する燃料中の異物を捕獲するフィルタと、を備えることを特徴とする高圧ポンプ。
【請求項２】
前記第１圧力は、前記吐出通路から燃料レールを経由して接続されるインジェクタが適切に動作する燃料圧力より大きい所定圧力に設定されることを特徴とする請求項１に記載の高圧ポンプ。
【請求項３】
前記第２圧力は、前記吐出通路から接続される燃料レール内の燃料圧力が燃料の飽和蒸気圧より大きい所定圧力に設定されることを特徴とする請求項１または２に記載の高圧ポンプ。
【請求項４】
前記リリーフ弁の弁本体は、前記定残圧弁の弁本体よりも前記吐出通路側の前記内側通路にオリフィスを設けていることを特徴とする請求項１〜３のいずれか一項に記載の高圧ポンプ。
【請求項５】
前記フィルタは、発泡金属にて構成されることを特徴とする請求項１〜４のいずれか一項に記載の高圧ポンプ。
【請求項６】
前記吐出通路には、前記加圧室から前記吐出通路への燃料の流れを許容し、前記吐出通路から前記加圧室への燃料の流れを遮断する吐出弁が設けられ、
前記吐出弁の弁本体には、該弁本体の径外側の前記吐出通路と前記吐出口側の前記吐出通路とを連通し、前記加圧室と前記吐出口との間に燃料を流通させる内部通路が設けられ、
前記フィルタは、前記内部通路が前記吐出弁の弁本体の径外方向の外壁に開口する位置に設けられ、前記吐出通路から前記リターン通路に流入する燃料中の異物を捕獲することを特徴とする請求項１〜４のいずれか一項に記載の高圧ポンプ。
【請求項７】
前記フィルタは、筒状に形成され、前記吐出弁の弁本体の径外方向の外壁に嵌合していることを特徴とする請求項６に記載の高圧ポンプ。
【請求項８】
前記フィルタは、フィルタ本体と、該フィルタ本体の径外方向の外壁に設けられるフィルタ保持部材とを備え、該フィルタ保持部材は、前記吐出通路と前記リターン通路との接続箇所に対応する位置に開口部を有することを特徴とする請求項６または７に記載の高圧ポンプ。
【発明の詳細な説明】
【技術分野】
【０００１】
本発明は、内燃機関（以下、「エンジン」という）に用いられる高圧ポンプに関する。
【背景技術】
【０００２】
従来、燃料タンクから低圧ポンプで汲み上げた燃料を、シリンダに往復移動自在に支持されたプランジャによって加圧し、燃料レールへ吐出する高圧ポンプが知られている。燃料レールに備蓄された高圧燃料は、燃料レールに接続されるインジェクタから各気筒内に噴射される。
このような高圧ポンプでは、吐出量を調節する調量弁部に故障等が生じると、燃料レール内の燃料圧力が高圧となり、インジェクタを適切に動作させることが困難になることがある。
このため、特許文献１では、燃料レール内の燃料圧力がこのような高圧となるときに開弁するリリーフ弁を高圧ポンプ内に設けている。
【０００３】
しかし、燃料レール内の燃料圧力が上記のような高圧にならない場合であっても、次のような不具合が懸念される。
（１）エンジンを停止した場合における燃料レール内の燃料圧力の上昇による不具合
イグニッションＯＦＦなどによりエンジンを停止すると、エンジン冷却水の循環がなくなる。このため、エンジンルームの温度は、エンジン停止直後から一定の期間上昇し、その後、下降する。これにより、燃料レール内の圧力も、エンジン停止直後から一定の期間上昇し、その後、下降する。このような燃料レール内の圧力の上昇は、インジェクタから気筒内へ燃料漏れを生じさせることにつながる。この結果、次回のエンジン始動時に、気筒内へ漏れ出した燃料蒸気が点火前の未燃焼成分として大気中へ排出されてしまうおそれがある。
【０００４】
（２）エンジンの運転中における燃料レール内の燃料圧力の維持による不具合
エンジンの運転中にアクセルペダルの踏み込みを中断すると、インジェクタからの燃料噴射が停止するとともに、高圧ポンプから燃料レールへの燃料の供給が停止する。このとき、燃料レール内の圧力は維持される。その後、再びアクセルペダルが踏み込まれると、インジェクタへの通電を制御したとしても、インジェクタから気筒内への燃料噴射量が大きくなってしまうことがある。このような必要以上の燃料噴射は、燃費の悪化や加速移行時のショックにつながるおそれがある。
【０００５】
上述した（１）、（２）の不具合は、燃料レール内の燃料圧力の上昇、または、高圧維持によるものであるが、このような場合、燃料レール内の燃料圧力を下げすぎてしまうと、次のような不具合が懸念される。
（３）高温再始動時における燃料レール内の燃料圧力の下降による不具合
エンジン停止後、例えば数十分というような時間が経過した後にエンジンを再始動する高温再始動時に、燃料レール内の燃料圧力が蒸気圧近くまで下降すると、ベーパが発生し、始動性能が悪化するおそれがある。
（４）アイドリングストップ後の再始動時における燃料レール内の燃料圧力の下降による不具合
ハイブリッドシステムなどにおけるアイドリングストップ後の再始動時にも、燃料レール内の燃料圧力が下降しすぎると、インジェクタから噴射される燃料の微粒化が悪化することで再始動性能が悪化するおそれがある。
【特許文献１】特開２００４−１３８０６２号公報
【発明の開示】
【発明が解決しようとする課題】
【０００６】
本発明は、上述した課題に鑑みてなされたものであり、その目的は、複数の圧力調整弁の耐異物性を確保する燃料ポンプを提供することにある。
【課題を解決するための手段】
【０００７】
上述した課題を解決するため、請求項１に係る発明によると、ハウジング本体は、プランジャの往復移動によって燃料を加圧する加圧室、この加圧室で加圧された高圧燃料を吐出口から吐出する吐出通路、この吐出通路と加圧室とを連通するリターン通路を有する。リターン通路に設けられるリリーフ弁は、吐出通路の燃料圧力が第１圧力以上のとき吐出通路から加圧室への燃料の流れを許容し、吐出通路の燃料圧力が第１圧力未満のとき吐出通路から加圧室への燃料の流れを遮断する。リリーフ弁は、リリーフ弁よりも吐出通路側のリターン通路とリリーフ弁よりも加圧室側のリターン通路とを連通する内側通路を弁本体の内部に有している。この内側通路に設けられる定残圧弁は、吐出通路の燃料圧力が第２圧力以上のとき吐出通路から加圧室への燃料の流れを許容し、吐出通路の燃料圧力が第２圧未満のとき吐出通路から加圧室への燃料の流れを遮断する。リリーフ弁よりも吐出口側のリターン通路または吐出通路にはフィルタが設けられ、リリーフ弁および定残圧弁に流入する燃料中の異物を捕獲する。
高圧ポンプは、それぞれ異なる所定圧力で吐出通路側の燃料圧力を減圧する機能を有するリリーフ弁および定残圧弁を備えている。リリーフ弁の弁本体内部に内側通路を形成し、この内側通路に定残圧弁を設けることで、リリーフ弁および定残圧弁は、一体で構成される。共に吐出通路から燃料通路への燃料の流れを許容するリリーフ弁および定残圧弁の上流側となるリターン通路または吐出通路にフィルタを設けることで、簡素な構成で、双方の機能の耐異物性を確保することができる。
【０００８】
第１圧力は、高圧ポンプの適用される燃料噴射系において、任意の所定圧力に設定することができる。ただし、請求項２に係る発明では、第１圧力は、吐出口から燃料レールを経由して接続するインジェクタが適切に動作する圧力より大きい所定圧力に設定することが例示される。これにより、高圧ポンプの吐出量を調節する調量弁部に故障等が生じたような場合であっても、この燃料圧力を低下させ、インジェクタを適切に動作させることができる。
【０００９】
第２圧もまた、高圧ポンプの適用される燃料噴射系において、任意の所定圧力に設定することができる。ただし、請求項３に係る発明では、第２圧力は、第１圧より小さく、吐出通路から接続される燃料レール内の燃料圧力が燃料の飽和蒸気圧より大きい所定圧（以下、「定残圧」という）に設定することが例示される。これにより、エンジン停止時に燃料レールの燃料圧力を低下させ、インジェクタから気筒内への燃料漏れを抑制することができる。この結果、次回のエンジン始動時の未燃焼成分の排出を抑制することができる。また、燃料噴射停止時に燃料レールの燃料圧力を低下させ、再始動時の燃費の悪化や加速ショックを抑制することができる。さらに、燃料レールの燃料圧力を定残圧に保持することでベーパの発生を抑制し、高温再始動時における始動性能を向上することができる。
【００１０】
請求項４に係る発明によると、リリーフ弁の弁本体の内側通路には、定残圧弁の弁本体よりも吐出口側にオリフィスが設けられている。加圧室の燃料をプランジャの往復移動によって加圧し、高圧燃料を吐出する高圧ポンプの作動時においても、定残圧弁が内側通路を開放することで、吐出通路の高圧燃料の一部は、吐出通路からリターン通路および内側通路を経由して加圧室へ戻される。オリフィスは、内側通路を流れる燃料の流量を調節する。これにより、ポンプ効率の低下を抑制することができる。特に、エンジンの低速運転時および始動時には、プランジャの往復周期が長くなることで、加圧行程の繰り返し周期が長くなる。このため、オリフィスを設け、ポンプ効率の低下を抑制することが望ましい。
【００１１】
請求項５に係る発明によると、フィルタは、発泡金属によって形成される。フィルタの構成に発泡金属を適用することで、フィルタの濾過機能を向上し、燃料中に含まれる異物を確実に捕獲することができる。これにより、リリーフ弁および定残圧弁の耐異物性を向上することができる。
【００１２】
請求項６に係る発明によると、吐出通路に設けられる吐出弁の弁本体の内部には、弁本体の径外側の吐出通路と吐出口側の吐出通路とを連通し、加圧室と吐出口との間に燃料を流通させる内部通路が形成されている。フィルタは、この内部通路が吐出弁の弁本体の径外方向の外壁に開口する位置に設けられている。このため、吐出弁の弁本体にフィルタを取り付けた後、この弁本体を吐出口から吐出通路へ挿入することにより、フィルタの組付け性を向上することができる。
【００１３】
請求項７に係る発明によると、フィルタは、筒状に形成され、弁本体の径外方向の外壁に嵌合している。このため、フィルタを吐出弁の弁本体に圧入によって取り付けることが可能となり、フィルタの組付け性を向上することができる。
【００１４】
請求項８に係る発明によると、フィルタは、フィルタ本体と、このフィルタ本体の径外方向の外壁に設けられるフィルタ保持部材とを備える。このフィルタ保持部材は、吐出通路とリターン通路との接続箇所に対応する位置に開口部を有している。このため、吐出弁の弁本体の内部通路からリターン通路へ流れる燃料内の異物を確実に捕獲することができる。
【発明を実施するための最良の形態】
【００１５】
以下、本発明の実施形態を図面に基づいて説明する。
（第１実施形態）
本発明の第１実施形態の高圧ポンプを図１−図５に示す。高圧ポンプ１０は、例えば直噴型のガソリンエンジンまたはディーゼルエンジンのインジェクタに燃料を供給する燃料供給ポンプである。
図２に示すように、高圧ポンプ１０は、ハウジング本体１１を中心に構成されている。このハウジング本体１１は、例えばマルテンサイト系のステンレスなどで形成されている。ハウジング本体１１の一方向（図中では上方）に、カバー１２が取り付けられている。これにより、ハウジング本体１１とカバー１２との間に燃料室１３が形成される。燃料室１３の反対側には、プランジャ部３０が構成されている。また、燃料室１３とプランジャ部３０の配列方向に直交する方向に、調量弁部５０、吐出弁部７０および圧力調整部１０１が構成されている。燃料室１３には、燃料ポンプによって燃料タンクから燃料が供給される（燃料ポンプおよび燃料タンクは不図示）。燃料室１３に供給された燃料は、調量弁部５０を経由し、ハウジング本体１１の中央付近の加圧室１４を経由して、吐出弁部７０からインジェクタが接続される燃料レール（不図示）へ圧送される。
【００１６】
次に、プランジャ部３０、調量弁部５０、吐出弁部７０、および、圧力調整部１０１の構成について、順に説明する。
最初にプランジャ部３０について説明する。
プランジャ部３０は、プランジャ３１、プランジャ支持部３２、オイルシール３３、ロアシート３４、リフター３５、および、プランジャスプリング３６等を備えている。
上述のハウジング本体１１は、内部にシリンダ１５を形成している。シリンダ１５は、プランジャ３１を軸方向へ往復移動可能に支持している。シリンダ１５の一端側に加圧室１４が形成されている。ハウジング本体１１のシリンダ１５側の端部には、プランジャ支持部３２が配置されており、シリンダ１５と共にプランジャ３１を往復移動可能に支持している。プランジャ支持部３２は、内部に、加圧室１４からエンジンへの燃料漏れを防止する燃料シール３７を有している。また、プランジャ支持部３２は、加圧室１４とは反対側の端部に、エンジン内から加圧室１４へのオイルの浸入を防止するオイルシール３３を有している。
加圧室１４とは反対側のプランジャ３１の端部にはロアシート３４が取り付けられている。ロアシート３４とハウジング本体１１との間には、プランジャスプリング３６が配置されている。
ロアシート３４は、有底円筒状のリフター３５の底部の内壁と当接している。リフター３５の下方にはカムシャフトに取り付けられたカム（カムシャフトおよびカムはいずれも不図示）が当接している。カムシャフトの回転によりカムプロフィールに応じてリフター３５が軸方向に往復移動する。これに伴い、プランジャ３１が軸方向に往復移動する。プランジャスプリング３６は、プランジャ３１の戻しバネであり、リフター３５をカム面に当接させる方向へ付勢している。
【００１７】
次に、調量弁部５０について説明する。
調量弁部５０は、ハウジング本体１１に形成される筒部１７、筒部１７の開口を覆う弁部カバー５２、コネクタ５３、および、コネクタハウジング５４等を備えている。
筒部１７は、略円筒状に形成され、内部に燃料流路１８、および、この燃料流路１８と燃料室１３とを連通する連通路１６を形成している。筒部１７と弁部カバー５２と間にはゴムシール５５が設けられており、燃料流路１８からの燃料漏れを防止している。燃料流路１８には、略円筒状のシートボデー５６が配置されている。シートボデー５６の外周と筒部１７の内壁との間は、ゴムシール５７によってシールされている。これにより、シートボデー５６の内部を燃料が通過する。
シートボデー５６の内部には、吸入弁５８が配置されている。吸入弁５８は、円板状の底部５９と円筒状の壁部６０とで構成されている。底部５９と壁部６０とによって形成される内部空間には、スプリング６１が収容されている。スプリング６１は、一端を吸入弁５８よりも加圧室１４側に配置される係止部６２に係止されている。係止部６２は、シートボデー５６の内壁に取り付けられたスナップリング６３により、ハウジング本体１１に係止されている。
吸入弁５８の底部５９には、ニードル６４が当接している。ニードル６４は、弁部カバー５２を貫通し、コネクタ５３の内部まで延びている。コネクタ５３は、コイル６５と、このコイル６５へ通電するための端子５１とを有している。コイル６５の内周側には、所定位置に保持される固定コア６６、可動コア６８およびスプリング６７が配置されている。ニードル６４は、可動コア６８に溶接固定され、一体となっている。スプリング６７は、一端を固定コア６６に係止され、他端を可動コア６８に係止され、可動コア６８を固定コア６６から離間する方向へ付勢している。
【００１８】
上述した構成により、コネクタ５３の端子５１を介してコイル６５に通電が行われると、コイル６５の発生する磁束によって固定コア６６と可動コア６８との間に磁気吸引力が発生し、可動コア６８が固定コア６６側へ移動する。これによりニードル６４は、加圧室１４から離れる方向へ移動する。このとき、ニードル６４は、吸入弁５８の移動を規制しない。このため、吸入弁５８の底部５９はシートボデー５６の座部６９に着座可能となり、吸入弁５８の底部５９がシートボデー５６の座部６９に着座することで、燃料流路１８と加圧室１４とが遮断される。
一方、調量弁部５０に通電が行われないと、磁気吸引力は発生せず、スプリング６７の付勢力によって、可動コア６８およびニードル６４が固定コア６６から離間する方向へ移動する。ニードル６４は、吸入弁５８を加圧室１４側へ移動する。これにより、吸入弁５８の底部５９は座部６９から離座することで、燃料流路１８と加圧室１４とが連通する。
なお、燃料室１３、連通路１６、および、燃料流路１８は、特許請求の範囲に記載の燃料通路に相当する。
【００１９】
次に、吐出弁部７０について説明する。
吐出弁部７０は、図１に示すように、吐出弁ニードル７１、スプリング７２、係止部７３、および、吐出口７４等を備えている。吐出弁ニードル７１、スプリング７２、および、係止部７３は、ハウジング本体１１に形成された円筒状の吐出通路１９内に収容されている。
吐出弁ニードル７１は、有底筒状に形成され、内側に、吐出口７４側に開口する内部通路７５を形成している。また、吐出弁ニードル７１は、軸方向と直交する方向に、吐出弁ニードル７１の径外側の外部から内部通路７５へ燃料を流通させる内部通路７６を形成している。
吐出弁ニードル７１は、加圧室１４側の端部に吐出弁シート７８を形成している。吐出弁シート７８は、吐出通路１９を形成するハウジング本体１１の内壁の円錐面に形成された吐出用弁座７９に着座および離座可能である。
係止部７３は、筒状に形成され、吐出弁ニードル７１の吐出口７４側で、吐出通路１９に圧入等により固定されている。係止部７３は、内径が大きい薄肉部７３１と、内径の小さい厚肉部７３２とから構成され、薄肉部７３１と厚肉部７３２とによって内側に段差部７３３が形成されている。係止部７３の薄肉部７３１は、吐出弁ニードル７１を軸方向へ往復移動可能に支持している。吐出弁ニードル７１は、段差部７３３へ当接することで、軸方向の可動範囲を制限されている。スプリング７２は、一端を係止部７３の段差部７３３に係止し、他端を吐出弁ニードル７１の内部に形成された段差部７７に係止し、吐出弁ニードル７１を係止部７３から離間する方向へ付勢している。
【００２０】
上述した構成により、吐出弁ニードル７１の加圧室１４側の端部が加圧室１４側の燃料から受ける力（Ｆ１）が、スプリング７２の付勢力（Ｆ２）と吐出弁ニードル７１の吐出口７４側の面が吐出用弁座７９よりも吐出口７４側の燃料から受ける力（Ｆ３）との和よりも小さいとき、吐出弁ニードル７１の吐出弁シート７８が吐出用弁座７９に着座することで、加圧室１４と吐出通路１９とが遮断される。
一方、加圧室１４の燃料圧力が上昇し、吐出弁ニードル７１の加圧室１４側の端部が加圧室１４側の燃料から受ける力（Ｆ１）が、スプリング７２の付勢力（Ｆ２）と吐出弁ニードル７１の吐出口７４側の面が吐出用弁座７９よりも吐出口７４側の燃料から受ける力（Ｆ３）との和よりも大きいとき、吐出弁ニードル７１の吐出弁シート７８が吐出用弁座７９から離座することで、加圧室１４と吐出通路１９とが連通する。このため、吐出通路１９へ流入した燃料は、吐出弁ニードル７１の内部通路７６、７５、および、係止部７３の内側を経由して吐出口７４から吐出される。これにより、吐出弁部７０は、加圧室１４において加圧された燃料の吐出を断続する逆止弁として機能する。
【００２１】
次に、圧力調整部１０１について説明する。
圧力調整部１０１は、図１および図３に示すように、リリーフ弁８０および定残圧弁９０から構成される圧力調整弁１００を備えている。
リリーフ弁８０は、リリーフ弁ニードル８２、リリーフ用スプリング８３、および、リリーフ用ストッパ８４等を備えている。リリーフ弁ニードル８２、リリーフ用スプリング８３、および、リリーフ用ストッパ８４は、ハウジング本体１１に形成されたリターン通路２０に収容されている。
圧力調整部１０１には、リターン通路２０が形成されている。リターン通路２０は、一方を吐出用弁座７９よりも吐出口７４側の吐出通路１９と連通し、他方を加圧室１４と連通している。リターン通路２０は、吐出弁ニードル７１の内部通路７６が吐出弁ニードル７１の径外方向の外壁に開口する位置で吐出通路１９と連通している。リターン通路２０は、吐出通路１９側から順に形成された第１リターン通路２１、第２リターン通路２２、第３リターン通路２３、および、第３リターン通路２３と加圧室１４と連通する第４リターン通路２４から構成されている。各リターン通路２１、２２、２３、２４は円筒状に形成されている。また、第２リターン通路２２は第１リターン通路２１より径が大きく形成され、第３リターン通路２３は、第２リターン通路２２より径が大きく形成されている。第１リターン通路２１と第２リターン通路２２との間の円錐面にはリリーフ用弁座８５が形成されている。
【００２２】
リリーフ弁ニードル８２は、略円筒状に形成された筒部８６と、筒部８６の吐出弁部７０側で円錐状に形成された円錐部８７と、筒部８６の中間で径外方向へ突出して形成されたフランジ部８８とから構成されている。筒部８６の外径は第２リターン通路２２の径より僅かに小さく形成され、フランジ部８８の外径は第３リターン通路２３の外径より僅かに小さく形成されている。このため、リリーフ弁ニードル８２は、第２リターン通路２２および第３リターン通路２３を軸方向に摺動可能である。円錐部８７の外壁には、リリーフ用弁座８５に着座および離座可能なリリーフ用弁シート８９が設けられている。筒部８６およびフランジ部８８の径外方向の外壁には、図示しない面取り部が形成され、筒部８６と第２、第３リターン通路２２、２３を形成するハウジング本体１１の内壁との間に燃料を流通させている。
リリーフ弁ニードル８２の第１内側通路８２２には、オリフィス８１が設けられ、通路断面積を小さくしている。この通路断面積を設定することで、第１リターン通路２１から内側通路８２１を経由して、第３リターン通路２３へ流れる燃料の流量が調節される。
【００２３】
リリーフ弁ニードル８２の吐出弁部７０とは反対側にリリーフ用スプリング８３が設置されている。リリーフ用スプリング８３は、一端をリリーフ弁ニードル８２のフランジ部８８に係止され、他端をリリーフ用ストッパ８４に係止され、リリーフ弁ニードル８２を吐出弁部７０側に付勢している。リリーフ用スプリング８３の付勢力は、高圧ポンプ１０が適用される燃料供給系において、吐出用弁座７９よりも吐出口７４側の燃料の圧力が、燃料レールを経由して接続するインジェクタが適切に動作する圧力よりも大きい所定圧力以上になるとき、リリーフ弁ニードル８２がリリーフ用弁座８５から離座するように設定されている。リリーフ用ストッパ８４は、第３リターン通路２３の吐出弁部７０とは反対側に形成されたねじ穴２６に、スペーサ８４２を介して固定されている。リリーフ用ストッパ８４にはリリーフ弁ニードル８２側へ延びるストッパ部８４１が形成されている。ストッパ部８４１は、リリーフ弁ニードル８２の吐出弁部７０とは反対側の端部と当接することで、リリーフ弁ニードル８２の可動範囲を制限している。
【００２４】
定残圧弁９０は、定残圧弁ボール９１、ボール保持部９２、定残圧用スプリング９３、および、定残圧用ストッパ９４を備え、リリーフ弁ニードル８２の内部に形成された内側通路８２１に収容されている。内側通路８２１は、吐出弁部７０側の第１内側通路８２２と、この第１内側通路８２２より径の大きい第２内側通路８２３から構成されている。
定残圧弁ボール９１は、球状に形成され、第１内側通路８２２と第２内側通路８２３との間の円錐面に形成される定残圧用弁座９８に着座および離座可能である。定残圧弁ボール９１の定残圧用弁座９８とは反対側に設置される略円柱状のボール保持部９２は、直径を第２内側通路８２３の内径より僅かに小さく形成され、第２内側通路８２３を軸方向へ往復移動可能である。ボール保持部９２は、凹曲面に形成された定残圧弁ボール９１側の端部により、定残圧弁ボール９１の揺れ動きを抑制している。また、ボール保持部９２は、加圧室側の燃料圧力を定残圧弁ボール９１とは反対側の平面状に形成された端部に受ける。
【００２５】
定残圧用スプリング９３は、一端がボール保持部９２に係止され、他端が定残圧用ストッパ９４に係止され、ボール保持部９２および定残圧弁ボール９１を定残圧用弁座９８側へ付勢している。定残圧用スプリング９３の付勢力は、高圧ポンプが適用される燃料供給系において、高圧ポンプが燃料レールを経由して接続するインジェクタの適切に動作する圧力以下で燃料の飽和蒸気圧よりも大きい所定圧としての定残圧以上になるとき、定残圧弁ボール９１が定残圧用弁座９８から離座するように設定されている。
定残圧用ストッパ９４は、第２内側通路８２３に圧入等により固定されている。定残圧用ストッパ９４は、軸方向に内部通路９９を形成し、内側通路８２１と第３リターン通路２３とを連通している。
【００２６】
フィルタ４０は、第１リターン通路２１に設置されている。フィルタ４０は、樹脂または金属から形成されるドーム状のフィルタ本体４１と、フィルタ本体４１の端部に組付けられるフィルタカラー４２とから構成されている。フィルタ４０は、フィルタ本体４１とフィルタカラー４２とを組付けた後、リターン通路２０のねじ穴２６側から挿入され、フィルタカラー４２を第１リターン通路に圧入することで設置される。
フィルタ本体４１の頂部は吐出通路１９側に位置している。このため、燃料内の異物はフィルタ本体４１のフィルタカラー４２側に堆積する。これにより、フィルタ４０は、フィルタ本体４１の頂部において燃料の流通を良好に維持することができる。
【００２７】
上述した構成により、リリーフ弁ニードル８２の吐出弁部７０側の端部が吐出弁部７０側の燃料から受ける力（Ｆ４）が、リリーフ用スプリング８３の付勢力（Ｆ５）とリリーフ弁ニードル８２の吐出弁部７０とは反対側の面が加圧室１４側の燃料から受ける力（Ｆ６）との和より小さいとき、リリーフ用弁シート８９がリリーフ用弁座８５に着座することで、吐出用弁座７９よりも吐出口７４側の吐出通路１９と加圧室１４とが遮断される。
一方、吐出用弁座７９よりも吐出口７４側の燃料の圧力が高圧となり、リリーフ弁ニードル８２の吐出口７４側の端部が吐出口７４側の燃料から受ける力（Ｆ４）が、リリーフ用スプリング８３の付勢力（Ｆ５）とリリーフ弁ニードル８２の加圧室１４側の面が加圧室１４側の燃料から受ける力（Ｆ６）との和よりも大きくなると、リリーフ用弁シート８９がリリーフ用弁座８５から離座することで、吐出通路１９と加圧室１４とが連通する。このため、吐出弁部７０から加圧室１４へ燃料が流入する。このとき、第１リターン通路２１を流れる燃料をフィルタ４０が濾過し、リリーフ弁８０の作動を保障する。
【００２８】
また、吐出用弁座７９よりも吐出口７４側の燃料の圧力が定残圧以上になり、定残圧弁ボール９１の吐出口７４側の端部が吐出口７４側の燃料から受ける力（Ｆ７）が、定残圧用スプリング９３の付勢力（Ｆ８）とボール保持部９２の加圧室１４側の面が加圧室１４側の燃料から受ける力（Ｆ９）との和よりも大きくなると、定残圧弁ボール９１が定残圧用弁座９８から離座することで、リリーフ弁ニードル８２の内側通路８２１が開放する。このため、吐出弁部７０と加圧室１４とが連通し、吐出通路１９から加圧室１４へ燃料が流入する。このときもまた、第１リターン通路２１を流れる燃料をフィルタ４０が濾過し、オリフィス８１および定残圧弁９０の作動を保障する。
そして、吐出用弁座７９よりも吐出口７４側の燃料の圧力が定残圧より小さくなり、定残圧弁ボール９１の吐出口７４側の端部が吐出口７４側の燃料から受ける力（Ｆ７）が、定残圧用スプリング９３の付勢力（Ｆ８）とボール保持部９２の加圧室１４側の面が加圧室１４側の燃料から受ける力（Ｆ９）との和より小さくなると、定残圧弁ボール９１が定残圧用弁座９８に着座することで、内側通路８２１が閉塞され、吐出用弁座７９よりも吐出口７４側の吐出通路１９と加圧室１４とが遮断される。
【００２９】
次に、高圧ポンプ１０の作動について説明する。
（１）吸入行程
プランジャ３１が図２の下方へ移動するとき、コイル６５への通電は停止される。そのため、吸入弁５８は、可動コア６８およびニードル６４を付勢するスプリング６７の付勢力によって、加圧室１４側へ移動している。その結果、吸入弁５８は、シートボデー５６の座部６９から離座することで、燃料室１３と加圧室１４とが連通する。このとき、加圧室１４の圧力は低下するので、燃料室１３の燃料は、加圧室１４へ吸入される。
【００３０】
（２）戻し行程
プランジャ３１が下死点から上死点に向かって上昇をはじめると、加圧室１４の燃料が排出され、その動圧を受けて、吸入弁５８に、シートボデー５６の座部６９に着座する方向の力が加わる。しかし、コイル６５に通電していないとき、スプリング６７の付勢力によって、ニードル６４が加圧室１４側へ移動している。このため、吸入弁５８は、ニードル６４によって加圧室１４側へ移動したまま、シートボデー５６の座部６９から離座した状態となる。この結果、加圧室１４の燃料は、上述の吸入行程とは逆に、プランジャ３１の上昇によって燃料室１３へ戻される。
【００３１】
（３）加圧行程
戻し行程の途中でコイル６５に通電されると、コイル６５に発生した磁界により、固定コア６６、コネクタハウジング５４、弁部カバー５２および可動コア６８によって形成される磁気回路に磁束が流れ、固定コア６６と可動コア６８との間に磁気吸引力が発生する。そして、固定コア６６と可動コア６８との間の磁気吸引力がスプリング６７の付勢力よりも大きくなると、可動コア６８は固定コア６６側へ移動する。そのため、可動コア６８と一体のニードル６４も、固定コア６６側へ移動する。ニードル６４が固定コア６６側へ移動すると、吸入弁５８とニードル６４とが離間する。この結果、吸入弁５８は、スプリング６１の付勢力および加圧室１４から排出された燃料の動圧を受けて、瞬時にシートボデー５６の座部６９へ着座する。
吸入弁５８が座部６９に着座することで、燃料室１３と加圧室１４との間が遮断される。これにより、加圧室１４から燃料室１３への燃料の戻し行程は終了する。したがって、この遮断のタイミングを調整することにより、加圧室１４から燃料室１３へ戻される燃料の量が調整され、同時に、加圧室１４で加圧される燃料の量が決定されることになる。
【００３２】
加圧室１４と燃料室１３との間が遮断された状態でプランジャ３１がさらに上死点に向けて上昇すると、加圧室１４の燃料の圧力は上昇する。加圧室１４の燃料の圧力が所定の圧力以上になると、上述したように、吐出弁部７０の吐出弁ニードル７１が吐出用弁座７９から離座し、加圧室１４と吐出通路１９とが連通する。これにより、加圧室１４で加圧された燃料は吐出口７４から吐出される。
【００３３】
プランジャ３１が上死点まで移動すると、プランジャ３１は再び図１の下方へ移動する。これにより、加圧室１４の燃料の圧力は低下する。このため、吸入弁５８は、座部６９から離座し、燃料室１３から加圧室１４へ燃料が流入する吸入行程が行われる。このように、上記（１）から（３）の行程を繰り返すことにより、高圧ポンプ１０は吸入した燃料を加圧して吐出する。
なお、加圧室１４の燃料の圧力が所定値まで上昇したとき、コイル６５への通電は停止される。加圧室１４の燃料の圧力が上昇すると、加圧室１４側の燃料の圧力によって、吸入弁５８は、シートボデー５６の座部６９に着座したままとなるためである。
【００３４】
次に、本実施形態の高圧ポンプ１０をエンジンに適用した場合の作用を説明する。
エンジンを停止したときの燃料レールおよびインジェクタからの燃料漏れ量の関係を図４に示す。時刻Ｔ１でエンジンが停止されると、エンジンの冷却水が循環しなくなるため、燃料レール内の温度は上昇し、一定期間経過後に下降する。
従来の高圧ポンプを適用したエンジンでは、燃料レール内の燃料圧力は、破線１で示すように、エンジン停止後、燃料レール内の温度の上昇に伴って上昇し、一定期間経過後、下降する。このとき、燃料レールの接続されるインジェクタは、破線３に示すように、エンジン停止直後から燃料漏れを生じ、燃料レール内の燃料圧力に伴って漏れ量を多くし、一定期間経過後、漏れ量を少なくする。
これに対し、本実施形態の高圧ポンプ１０を適用したエンジンでは、定残圧弁９０の作用によってエンジン停止後に燃料レールの燃料が加圧室へ戻されるので、燃料レール内の燃料圧力は、実線２で示すように、エンジン停止直後から減少する。このとき、インジェクタは、実線４に示すように、エンジン停止直後には微量の燃料漏れを生じるものの、燃料レール内の燃料圧力の減少に伴ってこの漏れ量を少なくする。
【００３５】
次に、エンジンの運転中にアクセルペダルの踏み込みを中断し、再びアイドリング状態にする減速復帰時における燃料レールおよびインジェクタからの燃料噴射量の関係を図５に示す。
時刻Ｔ２でアクセルペダルの踏み込みが中断されると、エンジンは、燃料噴射を停止すると共にスロットル開度を小さくする。その後、時刻Ｔ３で再びアクセルペダルが踏み込まれると、エンジンは、スロットル開度を小さくした状態を維持し、アイドリング状態に移行する。
時刻Ｔ２−Ｔ３では、インジェクタに印加される駆動パルスは０となる。時刻Ｔ３以降、インジェクタの噴射状態をアイドリングに適したものにするため、小さい駆動パルス幅の電圧がインジェクタに印加される。
従来の高圧ポンプを適用したエンジンでは、燃料レール内の燃料圧力は、破線５で示すように、時刻Ｔ２−Ｔ３で高圧状態を維持している。この燃料圧力は、時刻Ｔ３以降、インジェクタからの燃料噴射によって低下する。インジェクタからの燃料噴射量は、時刻Ｔ２−Ｔ３で０である。時刻Ｔ３において、インジェクタの噴孔の開口面積が駆動パルス制御によって小さく開くものの、インジェクタからの燃料噴射量は、燃料レール内の燃料圧力が高圧のため、破線７で示すように、アイドリング運転に必要な噴射量以上の燃料を噴射する。その後、インジェクタからの燃料噴射量は、燃料レール内の燃料圧力の減少に伴って減少する。
これに対し、本実施形態の高圧ポンプ１０を適用したエンジンでは、定残圧弁９０の作用によって燃料レールの燃料が加圧室へ戻されるため、燃料レール内の燃料圧力は、実線６で示すように、時刻Ｔ２−Ｔ３において減少する。インジェクタからの燃料噴射量は、実線８で示すように、アイドリング運転に必要な噴射量となる。
【００３６】
本実施形態では、燃料レール内の燃料圧力が高圧となるとき、燃料圧力を低下させるリリーフ弁８０と、エンジン停止時および燃料噴射停止時の燃料レールの燃料圧力を定残圧に減圧する定残圧弁９０とを一体で構成している。複数の減圧機能を一体に構成した圧力調整弁よりも上流側の第１リターン通路にフィルタ４０を設けることにより、簡素な構成でリリーフ弁８０および定残圧弁９０の耐異物性を確保することができる。
【００３７】
（第２実施形態）
第２実施形態の高圧ポンプを図６に示す。第１実施形態と実質的に同一の構成には同一の符号を付して説明を省略する。第２実施形態では、フィルタ４３は、発泡金属４４と保持リング４５とから構成されている。発泡金属４４は、第１リターン通路２１と略同径に形成されている。発泡金属４４は、保持リング４５を介して第１リターン通路２１に圧入される。第１リターン通路２１には段差２７が形成されており、フィルタ４３は、第１リターン通路２１の所定の位置に設置される。
【００３８】
本実施形態では、フィルタ４３を発泡金属にて構成することで、リリーフ弁８０および定残圧弁９０の耐異物性を向上することができる。また、第１リターン通路２１に段差を形成し、保持リング４５を介して発泡金属４４を圧入することで、簡素な構成でリリーフ弁８０および定残圧弁９０の耐異物性を確保することができる。
【００３９】
（第３実施形態）
第３実施形態の高圧ポンプを図７に示す。第１、第２実施形態と実質的に同一の構成には同一の符号を付して説明を省略する。第３実施形態では、吐出弁ニードル７１の径外方向の外壁にフィルタ４６が嵌合している。フィルタ４６は、樹脂または金属から形成されるメッシュ状のフィルタ本体４７と、フィルタ本体４７の径外方向に設けられる保持部材４８とから構成されている。フィルタ本体４７および保持部材４８は筒状に形成され、吐出弁ニードル７１の内部通路７６が吐出弁ニードル７１の径外方向の外壁に開口する位置で、吐出弁ニードル７１に取り付けられている。保持部材４８には、内部通路７６に対応する位置に開口部４９が形成され、吐出弁ニードル７１の内部通路７５、７６と吐出弁ニードル７１の外部との燃料の流通を可能にしている。保持部材４８の端部は、径外方向に突出し、吐出通路１９を形成するハウジング本体１１の内壁と摺動可能である。
フィルタ本体４７と保持部材４８とは接着、溶接等により固定された後、吐出弁ニードル７１に圧入により取り付けられる。フィルタ４６を取り付けた吐出弁ニードル７１は、吐出口７４側から吐出通路１９へ収容される。
【００４０】
本実施形態では、吐出弁ニードル７１にフィルタ４６を取り付けた後、吐出弁ニードルを吐出通路１９へ収容するので、リリーフ弁８０および定残圧弁９０の耐異物性を確保するフィルタ４６の組付け性を向上することができる。
【００４１】
なお、本発明は、上記実施形態に限定されるものではなく、発明の趣旨を逸脱しない範囲で、種々の形態により実施することができる。
【図面の簡単な説明】
【００４２】
【図１】本発明の第１実施形態としての高圧ポンプを示す部分断面図。
【図２】本発明の第１実施形態としての高圧ポンプを示す断面図。
【図３】本発明の第１実施形態としての高圧ポンプを示す部分断面図。
【図４】本発明の第１実施形態の高圧ポンプをエンジンに適用したときの燃料レールおよびインジェクタからの燃料漏れ量の関係を示す特性図。
【図５】本発明の第１実施形態の高圧ポンプをエンジンに適用したときの燃料レールおよびインジェクタからの燃料漏れ量の関係を示す特性図。
【図６】本発明の第２実施形態としての高圧ポンプを示す部分断面図。
【図７】本発明の第３実施形態としての高圧ポンプを示す部分断面図。
【符号の説明】
【００４３】
１０：高圧ポンプ、１１：ハウジング本体、１３：燃料室（燃料通路）、１４：加圧室、１６：連通路（燃料通路）、１８：燃料流路（燃料通路）、１９：吐出通路、２０：リターン通路、４０：フィルタ、７１：吐出弁ニードル（吐出弁の弁本体）、７４：吐出口、８０：リリーフ弁、８１：オリフィス、８２：リリーフ弁ニードル（リリーフ弁の弁本体）、９０：定残圧弁、９１定残圧弁ボール（定残圧弁の弁本体）、８２１：内側通路
【図１】
2010156255.tif 000003
【図２】
2010156255.tif 000004
【図３】
2010156255.tif 000005
【図４】
2010156255.tif 000006
【図５】
2010156255.tif 000007
【図６】
2010156255.tif 000008
【図７】
2010156255.tif 000009